(57)【要約】【課題】画像形成装置等の表示部にウェブページが表示されているときにおいて、表示中のウェブページ内のページ内検索と、検索エンジンによるウェブページ検索とを使い分けるためにユーザに要求される操作を簡単にする。【解決手段】画像を表示する表示部と、表示部にウェブページを表示させて当該表示させたウェブページ内を検索する機能を有するウェブブラウザ５２２１とを備え、ウェブブラウザ５２２１は、少なくとも１つ以上の検索エンジンを記憶しており、ユーザから検索実行指示の入力を受け付けるための検索実行指示受付ボタンと、当該検索実行指示を受け付けたときに、前記記憶している検索エンジンによるウェブページ検索及び当該ウェブブラウザ５２２１の機能によるページ内検索を示す項目が並べられ、当該項目で示される検索の中から所望の検索の選択を受け付けるための選択キーとを表示部に表示する。【選択図】図３
2010067208.tif 000002
【特許請求の範囲】
【請求項１】
画像を表示する表示部と、
前記表示部にウェブページを表示させ、表示させたウェブページ内を検索する機能を有するウェブブラウザ機能部とを備え、
前記ウェブブラウザ機能部は、少なくとも１つ以上の検索エンジンを記憶しており、タッチパネル機能によりユーザから検索実行指示の入力を受け付けるための検索実行指示受付ボタンと、当該検索実行指示を受け付けたときに、前記記憶している検索エンジンによるウェブページ検索及び前記ウェブブラウザ機能によるページ内検索を示す項目が並べられ、当該項目によって示される検索の中から所望の検索の選択をタッチパネル機能により受け付けるための選択キーとを、前記表示部に表示する表示制御装置。
【請求項２】
前記ウェブブラウザ機能部は、前記検索エンジン又は前記ページ内検索の選択をタッチパネル機能により受け付けたときに、ユーザから検索キーワードの入力を受け付けるための検索キーワード入力画面を前記表示部に表示する請求項１に記載の表示制御装置。
【請求項３】
前記ウェブブラウザ機能部は、前記検索キーワード入力画面の表示中に、ユーザから検索キーワードの入力を受け付けた場合であって、前記検索エンジンの選択を受け付けているときは、当該選択された検索エンジンにアクセスして、前記入力を受け付けた検索キーワードの検索結果を示すウェブページを前記表示部に表示し、前記ページ内検索を受け付けているときは、当該ページ内検索機能を起動して前記入力を受け付けた検索キーワードの検索結果を前記表示部に表示する請求項２に記載の表示制御装置。
【請求項４】
前記ウェブブラウザ機能部は、前記検索エンジンによるウェブページ検索又は前記ページ内検索のいずれが受け付けられたかに応じて異なる前記検索キーワード入力画面を前記表示部に表示する請求項２又は請求項３に記載の表示制御装置。
【請求項５】
前記ウェブブラウザ機能部は、前記選択キーの表示中に、前記検索エンジンの選択を受け付けたときは、当該検索エンジンにアクセスして当該検索エンジンのウェブページを前記表示部に表示し、前記ページ内検索の選択を受け付けたときは、当該ページ内検索機能を起動する請求項１に記載の表示制御装置。
【請求項６】
印刷対象データに基づいて記録紙に画像を記録する記録部と、
請求項１乃至請求項５のいずれかに記載の表示制御装置とを備えた画像形成装置。
【請求項７】
表示制御装置に内蔵されるコンピュータを、
前記表示制御装置の表示部にウェブページを表示させ、表示させたウェブページ内を検索する機能を有するウェブブラウザ機能部として機能させ、
前記ウェブブラウザが、少なくとも１つ以上の検索エンジンを記憶しており、タッチパネル機能によりユーザから検索実行指示の入力を受け付けるための検索実行指示受付ボタンと、当該検索実行指示を受け付けたときに、前記検索エンジン記憶部に記憶されている検索エンジンによるウェブページ検索及び前記ウェブブラウザ機能によるページ内検索を示す項目が並べられ、当該項目によって示される検索の中から所望の検索の選択をタッチパネル機能により受け付けるための選択キーとを、前記表示部に表示するように機能させる表示制御プログラム。
【発明の詳細な説明】
【技術分野】
【０００１】
本発明は、表示制御装置、画像形成装置、及び表示制御プログラムに関し、特に、ウェブページを表示部に表示する際の技術に関する。
【背景技術】
【０００２】
従来から、コピー機や、複合機（コピー機能、プリンタ機能、ファクシミリ機能、スキャナ機能を兼ね備えた機器）等の画像形成装置には、ユーザ操作者に対して操作案内を表示するために、ＬＣＤ（Liquid Crystal Display）等からなる表示部が設けられている。そして、下記特許文献１に示されるように、画像形成装置をインターネット接続し、当該表示部に、上記操作案内に加えてインターネット上のウェブページを表示可能にしたものが提案されている。また、下記特許文献２に示されるように、特定のキーワードを有するウェブページを複数の検索エンジンで検索する際における操作を簡単にする情報検索プログラムも提案されている。
【特許文献１】特開２００３−１２２２７９号公報
【特許文献２】特開２００３−１５７２８３号公報
【発明の開示】
【発明が解決しようとする課題】
【０００３】
しかし、上記従来の画像形成装置や情報検索プログラムにおいては、ユーザは、表示中のウェブページ内をキーワード検索（ページ内検索）したいときは、ウェブブラウザが有する検索機能を起動させる操作を行い、また、検索キーワードを含む他のウェブページを見つけるために検索エンジンで検索（ウェブページ検索）したいときは、検索エンジンのウェブページにアクセスして、当該検索エンジンのウェブページ上で検索キーワードを入力する操作を行う必要がある。このため、ユーザは、表示中のウェブページについてページ内検索を行うか、検索キーワードを含む他のウェブページを見つけるために検索エンジンでウェブページ検索を行うかに応じて、それぞれの検索に適した操作を自ら判断して選択し、それぞれの検索用に異なった操作を使い分ける必要がある。
【０００４】
本発明は、上記の問題を解決するためになされたもので、画像形成装置等の表示部にウェブページが表示されているときにおいて、表示中のウェブページ内のページ内検索と、検索エンジンによるウェブページ検索とを使い分けるためにユーザに要求される操作を簡単にすることを目的とする。
【課題を解決するための手段】
【０００５】
本発明の請求項１に記載の発明は、画像を表示する表示部と、
前記表示部にウェブページを表示させ、表示させたウェブページ内を検索する機能を有するウェブブラウザ機能部とを備え、
前記ウェブブラウザ機能部は、少なくとも１つ以上の検索エンジンを記憶しており、タッチパネル機能によりユーザから検索実行指示の入力を受け付けるための検索実行指示受付ボタンと、当該検索実行指示を受け付けたときに、前記記憶している検索エンジンによるウェブページ検索及び前記ウェブブラウザ機能によるページ内検索を示す項目が並べられ、当該項目によって示される検索の中から所望の検索の選択をタッチパネル機能により受け付けるための選択キーとを、前記表示部に表示する表示制御装置である。
【０００６】
また、請求項７に記載の発明は、表示制御装置に内蔵されるコンピュータを、
前記表示制御装置の表示部にウェブページを表示させ、表示させたウェブページ内を検索する機能を有するウェブブラウザ機能部として機能させ、
前記ウェブブラウザ機能部が、少なくとも１つ以上の検索エンジンを記憶しており、タッチパネル機能によりユーザから検索実行指示の入力を受け付けるための検索実行指示受付ボタンと、当該検索実行指示を受け付けたときに、前記記憶している検索エンジンによるウェブページ検索及び前記ウェブブラウザ機能によるページ内検索を示す項目が並べられ、当該項目によって示される検索の中から所望の検索の選択をタッチパネル機能により受け付けるための選択キーとを、前記表示部に表示するように機能させる表示制御プログラムである。
【０００７】
これらの発明によれば、ウェブブラウザ機能部が、表示部にウェブページを表示しているときに、ユーザによる検索実行指示受付ボタンに基づく操作に応じて、検索実行指示の入力を受け付けると、検索エンジンによるウェブページ検索及びウェブブラウザ機能によるページ内検索を示す項目が並べられてなる選択キーを表示し、ユーザによる当該選択キーに基づく操作に応じて、当該項目によって示される検索の中から所望の検索の選択を受け付けるので、ユーザは、検索エンジンによるウェブページ検索又はウェブブラウザ機能によるページ内検索の別に応じた異なる操作を行わなくても、ウェブブラウザ機能部の上記表示による案内に従って操作を行えば、所望の検索を選択することができる。これにより、画像形成装置等の表示部にウェブページが表示されているときにおいて、表示中のウェブページ内のページ内検索と、検索エンジンによるウェブページ検索とを使い分けるためにユーザに要求される操作が簡単になる。
【０００８】
また、請求項２に記載の発明は、請求項１に記載の表示制御装置であって、前記ウェブブラウザ機能部は、前記検索エンジン又は前記ページ内検索の選択をタッチパネル機能により受け付けたときに、ユーザから検索キーワードの入力を受け付けるための検索キーワード入力画面を前記表示部に表示するものである。
【０００９】
この発明によれば、ウェブブラウザ機能部は、ウェブページ検索又はページ内検索の選択を受け付けると、ウェブページ検索及びページ内検索のいずれが選択されても、検索キーワードの入力を受け付けるための検索キーワード入力画面を表示部に表示するので、ユーザは、ウェブブラウザ検索又はページ内検索の別に応じた異なる操作を行わなくても、検索キーワードを入力することが可能になる。
【００１０】
また、請求項３に記載の発明は、請求項２に記載の表示制御装置であって、前記ウェブブラウザ機能部は、前記検索キーワード入力画面の表示中に、ユーザから検索キーワードの入力を受け付けた場合であって、前記検索エンジンの選択を受け付けているときは、当該選択された検索エンジンにアクセスして、前記入力を受け付けた検索キーワードの検索結果を示すウェブページを前記表示部に表示し、前記ページ内検索を受け付けているときは、当該ページ内検索機能を起動して前記入力を受け付けた検索キーワードの検索結果を前記表示部に表示するものである。
【００１１】
この発明によれば、ウェブブラウザ機能部は、検索キーワード入力画面の表示中にユーザから検索キーワードの入力が受け付けられた場合、検索エンジンの選択が受け付けられていれば、当該選択された検索エンジンにアクセスして上記検索キーワードの検索結果を示すウェブページを表示部に表示し、ページ内検索が受け付けられていれば、ページ内検索機能を起動して上記検索キーワードの検索結果を表示部に表示するので、ユーザは、検索エンジンによるウェブページ検索、又はページ内検索のいずれを実行する場合であっても、同様の操作で検索キーワードを入力できると共に、当該入力した検索キーワードを、上記選択した検索エンジンによるウェブページ検索、又はウェブブラウザ機能部のページ内検索機能に反映させて検索結果を表示させることができる。
【００１２】
また、請求項４に記載の発明は、請求項２又は請求項３に記載の表示制御装置であって、前記ウェブブラウザ機能部は、前記検索エンジンによるウェブページ検索又は前記ページ内検索のいずれが受け付けられたかに応じて異なる前記検索キーワード入力画面を前記表示部に表示するものである。
【００１３】
この発明によれば、ウェブブラウザ機能部は、上記検索キーワード入力画面として、検索エンジンによるウェブページ検索、又はウェブブラウザ機能部のページ内検索のいずれが受け付けられたかに応じて異なる画面を表示部に表示するので、ユーザは、ウェブページ検索又はページ内検索の別に拘わらず同様の操作で検索キーワード入力を行いつつ、いずれの方式で検索を行っているのかを明確に認識できる。
【００１４】
また、請求項５に記載の発明は、請求項１に記載の表示制御装置であって、前記ウェブブラウザ機能部は、前記選択キーの表示中に、前記検索エンジンの選択を受け付けたときは、当該検索エンジンにアクセスして当該検索エンジンのウェブページを前記表示部に表示し、前記ページ内検索の選択を受け付けたときは、当該ページ内検索機能を起動するものである。
【００１５】
この発明によれば、ウェブブラウザ機能部が、表示部に選択キーに基づくユーザによる操作で、検索エンジンの選択を受け付けたときは、当該検索エンジンにアクセスして当該検索エンジンのウェブページを表示部に表示し、ページ内検索の選択を受け付けたときは、当該ページ内検索機能を起動するので、ユーザは、検索エンジンによるウェブページ検索又はウェブブラウザ機能によるページ内検索の別に応じた異なる操作を行わなくても、ウェブブラウザ機能部の上記表示による案内に従って操作を行えば、所望の検索が可能な画面を表示部に表示させることができる。
【００１６】
また、請求項６に記載の発明は、印刷対象データに基づいて記録紙に画像を記録する記録部と、
請求項１乃至請求項５のいずれかに記載の表示制御装置とを備えた画像形成装置である。
【００１７】
この発明によれば、請求項１乃至請求項５のいずれかに記載の発明が奏する作用を得ることができる。
【発明の効果】
【００１８】
本発明によれば、画像形成装置等の表示部にウェブページが表示されているときにおいて、表示中のウェブページ内のページ内検索と、検索エンジンによるウェブページ検索とを使い分けるためにユーザに要求される操作を簡単にすることができる。
【発明を実施するための最良の形態】
【００１９】
以下、本発明に係る表示制御装置を備える画像形成装置の実施形態を説明する。図１は、本発明に係る表示制御装置を備える画像形成装置の一実施形態である複合機の構成を示す側面概略図である。
【００２０】
複合機１は、本体部２００と、本体部２００の用紙搬出側、例えば左側に配設された用紙後処理部３００と、ユーザ操作者が種々の操作指令等を入力するための操作部４００と、本体部２００の上部に配設された原稿読み取り部５００と、原稿読み取り部５００の上部に配設された原稿給送部６００とから構成される。
【００２１】
操作部４００は、ＬＣＤ（Liquid Crystal Display）等からなる表示部（表示手段）４１０と、ユーザから操作指示が入力される操作キー部４３０を備える。操作キー部４３０は、スタートキー及びテンキー等を備える。
【００２２】
原稿給送部６００は、原稿載置部６０１、給紙ローラ６０２、原稿搬送部６０３及び原稿排出部６０４を備え、原稿読み取り部５００は、スキャナ５０１を備える。給紙ローラ６０２は、原稿載置部６０１にセットされた所要枚数分の原稿を一枚ずつ繰り出し、原稿搬送部６０３は、繰り出される原稿を順次スキャナ５０１の読み取り位置に搬送する。スキャナ５０１は搬送される原稿の画像を順次読み取り、読み取られた原稿は原稿排出部６０４に排出される。
【００２３】
本体部２００は、複数の給紙カセット２０１、複数の給紙ローラ２０２、転写ローラ２０３、感光体ドラム２０４、露光装置２０６、現像装置２０７、定着ローラ２０８、排出口２０９、及び排出トレイ２１０等を備える。
【００２４】
感光体ドラム２０４は、矢印方向に回転しながら帯電装置（図示省略）によって一様に帯電される。露光装置２０６は、原稿読み取り部５００において読み取られた原稿の画像データに応じて変調されたレーザ光を感光体ドラム２０４上に走査し、ドラム表面に静電潜像を形成する。現像装置２０７は、黒色の現像剤を感光体ドラム２０４に供給してトナー画像を形成する。
【００２５】
一方、給紙ローラ２０２は、印刷用紙が収納された給紙カセット２０１から印刷用紙を引き出し、転写ローラ２０３まで給送する。転写ローラ２０３は、搬送された印刷用紙に感光体ドラム２０４上のトナー像を転写させ、定着ローラ２０８は、転写されたトナー像を加熱して印刷用紙に定着させる。その後、印刷用紙は、本体部２００の排出口２０９から用紙後処理部３００に搬入される。また、印刷用紙は、必要に応じて排出トレイ２１０へも排出される。
【００２６】
用紙後処理部３００は、搬入口３０１、印刷用紙搬送部３０２、搬出口３０３及びスタックトレイ３０４等を備える。印刷用紙搬送部３０２は、排出口２０９から搬入口３０１に搬入された印刷用紙を順次搬送し、最終的に搬出口３０３からスタックトレイ３０４へ印刷用紙を排出する。スタックトレイ３０４は、搬出口３０３から搬出された印刷用紙の集積枚数に応じて矢印方向に上下動可能に構成されている。
【００２７】
図２は、複合機１の制御ブロック図である。複合機１は、スキャナ部１１、画像処理部２１、記録部３１、操作部４００、制御ユニット５０、ネットワークＩ／Ｆ（インターフェース）部７１、及びＨＤＤ（ハードディスクドライブ）７４を備える。
【００２８】
スキャナ部１１は、図１に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像に対応する画像データを画像処理部２１へ出力する。
【００２９】
画像処理部２１は、補正部２２、画像加工部２３及び画像メモリ２４を含む。画像処理部２１は、読み取られた画像データを必要に応じて補正部２２及び画像加工部２３により処理し、処理された画像データを画像メモリ２４に記憶したり、記録部３１へ出力する。補正部２２は、読み取られた画像データに対してレベル補正、γ補正等の所定の補正処理を行う。画像加工部２３は、画像データの圧縮又は伸張処理、及び拡大又は縮小処理等の種々の加工処理を行う。
【００３０】
記録部３１は、図１に示す給紙カセット２０１及び給紙ローラ２０２等から構成される用紙搬送部３２、図１に示す感光体ドラム２０４、露光装置２０６及び現像装置２０７等から構成される画像形成部３３、図１に示す転写ローラ２０３等から構成される転写部３４、及び図１に示す定着ローラ２０８等から構成される定着部３５を含む。記録部３１は、スキャナ部１１により読み取られた原稿データを用いて画像を記録紙に印刷する。具体的には、用紙搬送部３２は記録紙を画像形成部３３へ搬送し、画像形成部３３は上記の画像データに対応するトナー像を形成し、転写部３４はトナー像を記録紙に転写し、定着部３５はトナー像を記録紙に定着させて画像を形成する。
【００３１】
ネットワークＩ／Ｆ部７１は、ネットワークインタフェース等を用い、イーサネット（登録商標）等によりＬＡＮ（Local Area Network）を介して、外部装置との間での種々のデータの送受信を制御すると共に、インターネットへの接続を行う。ＨＤＤ７４は、スキャナ部１１によって読み取られた画像データ及び当該画像データに設定されている出力形式等を記憶する。
【００３２】
操作部４００は、図１に示す表示部４１０、操作キー部４３０を備える。表示部４１０は、タッチパネルとＬＣＤとを組み合わせたタッチパネルユニット等から構成される。表示部４１０は、種々の操作画面を表示すると共に、ユーザが表示面（表示されている操作キー）をタッチすることで種々の機能の実行指令を入力することが可能である。操作キー部４３０は、上述のようにスタートキー、テンキー等を有する。
【００３３】
制御ユニット５０は、制御部５２と、表示画像データ記憶部５３とを備える。
【００３４】
制御部５２は、メインコントローラユニット５２１と、表示制御ユニット５２２とを備える。メインコントローラユニット５２１は、複合機１の動作制御を司る。表示制御ユニット５２２は、ユーザに対する複合機１の操作案内情報及びウェブページ等を表示部４１０に表示させるための表示制御を行う。表示画像データ記憶部５３は、表示部４１０に表示させる各種の画像データを記憶している。表示画像データ記憶部５３に記憶されている当該各種画像データは、ユーザに対する複合機１の各操作案内情報の表示等を示す画像からなるものである。
【００３５】
図３は複合機１の制御ユニット５０の構成を抽出して示す図である。制御ユニット５０は、上述したように、メインコントローラユニット５２１と、表示制御ユニット５２２とを備える。当該メインコントローラユニット５２１は、例えばＣＰＵからなり、表示制御ユニット５２２は例えばＡＳＩＣ（Application Specific Integrated Circuit）からなり、これらを構成する各ボードは、例えばＵＳＢ（Universal Serial Bus）で接続される。
【００３６】
メインコントローラユニット５２１は、動作制御部５２１１と、プロキシサーバ５２１３とを備える。
【００３７】
動作制御部５２１１は、複合機１の各部（スキャナ部１１，画像処理部２１、記録部３１等）の動作制御を司る。
【００３８】
プロキシサーバ５２１３は、ウェブブラウザ５２２１とインターネット網の間に介在してインターネットとの接続を行なう。プロキシサーバ５２１３は、イーサネット（登録商標）等を介してインターネットに接続する。
【００３９】
表示制御ユニット５２２は、ウェブブラウザ５２２１と、パネルアプリケーション５２２２とを備える。ウェブブラウザ５２２１は、少なくとも１つ以上の検索エンジン及びその検索エンジンのウェブページURLを記憶している検索エンジン記憶部５２２３を有している。
【００４０】
ウェブブラウザ（ウェブブラウザ機能部）５２２１は、表示部４１０にインターネット上のウェブページを表示させるために必要な処理等を実行する。
【００４１】
パネルアプリケーション５２２２は、複合機１の各操作案内等を表示部４１０に表示させるために必要な処理を実行する。パネルアプリケーション５２２２は、複合機１の各操作案内に対応する画像データを、上記表示画像データ記憶部５３から読み出して、表示部４１０に表示させる。
【００４２】
また、ウェブブラウザ５２２１は、ユーザから検索実行指示の入力を受け付けるための検索実行指示受付ボタンや、所望の検索方式の選択をユーザから受け付けるための選択キー等を表示する。当該検索実行指示受付ボタンは、タッチパネル機能によりユーザから検索実行指示の入力を受け付けるためのものである。当該選択キーは、検索エンジン記憶部５２２３に記憶されている検索エンジンによるウェブページ検索及びウェブブラウザ５２２１が具備する機能で実行されるページ内検索を示す項目が並べられてなり、当該項目によって示される検索の中から所望の検索方式の選択をタッチパネル機能によりユーザから受け付けるためのものである。
【００４３】
なお、ここでいう「検索」とは、(1)検索キーワードを用いて、検索エンジンにより、当該キーワードを含むウェブページを検索すること（ウェブページ検索）、(2) 検索キーワードを用いて、ウェブブラウザ５２２１の機能により、表示部４１０に表示中のウェブページにおいて当該キーワードが使用されている箇所を検索すること（ページ内検索）、の両者である。
【００４４】
また、ウェブブラウザ５２２１は、ユーザによる上記検索実行指示受付ボタンに基づく操作に応じて、検索実行指示の入力を受け付ける。ウェブブラウザ５２２１は、当該検索実行指示を受け付けたときに、検索エンジン及びページ内検索を示す項目が並べられてなる上記選択キーを表示部４１０に表示する。ウェブブラウザ５２２１は、ユーザによる上記選択キーに基づく操作に応じて、当該選択キーの各項目で示される検索方式の中から、所望の検索方式の選択を受け付ける。
【００４５】
さらに、ウェブブラウザ５２２１は、上記検索エンジン又はページ内検索の選択をユーザから受け付けたとき、ユーザから検索キーワードの入力を例えばタッチパネル機能により受け付けるための検索キーワード入力画面を表示部４１０に表示する。
【００４６】
そして、ウェブブラウザ５２２１は、検索キーワード入力画面の表示中に、ユーザから検索キーワードの入力を受け付けた場合、この時点で、検索エンジンによるウェブページ検索を選択する指示をユーザから受け付けているときは、検索エンジン記憶部５２２３内の上述した記憶情報に基づいて、当該選択された検索エンジンのURL（Uniform Resource Locator）を特定して、当該検索エンジンをなすウェブページにアクセスして当該ウェブページを表示部４１０に表示する。一方、ウェブブラウザ５２２１は、上記検索キーワード入力画面の表示中に検索キーワードの入力を受け付けた場合において、この時点で、上記ページ内検索を受け付けているときは、当該ページ内検索機能を起動する。
【００４７】
本発明の一実施形態に係る表示制御装置は、例えば、制御ユニット５０及び表示部４１０を備えてなる。
【００４８】
なお、上記には、制御部５２が、ＣＰＵからなるメインコントローラユニット５２１と、ＡＳＩＣからなる表示制御ユニット５２２とで構成されている例を示したが、これに限られず、例えば、ＨＤＤ７４に本発明の一実施形態に係る表示制御プログラムが記憶されており、ＣＰＵ等からなる制御部５２が、当該表示制御プログラムに従って動作することで、上記ウェブブラウザ５２２１として機能してもよいし、これに加えて更に、パネルアプリケーション５２２２、動作制御部５２１１及びプロキシサーバ５２１としても機能するものであってもよい。
【００４９】
次に、複合機１における表示部４１０の表示制御の第１実施形態を説明する。図４は複合機１における表示部４１０の表示制御の第１実施形態を示すフローチャートである。図５は初期操作画面の例を示す図である。図６はウェブページ表示画面の例を示す図である。図７は選択キーが表示されたウェブページ表示画面の例を示す図である。
【００５０】
ユーザが、複合機１の使用開始時に当該複合機１の主電源をＯＮにすると（Ｓ１でＹＥＳ）、パネルアプリケーション５２２２は、表示画像データ記憶部５３から、初期操作画面に対応する画像データを読み出して、図５に示すような初期画面４１０１を表示部４１０に表示させる（Ｓ２）。このとき、操作部４００は、ユーザから各種動作実行指示（コピー動作実行指示やウェブページ表示指示等）が受付可能な状態となる（Ｓ３，Ｓ１１）。この初期画面４１０１は、図５に示すように、例えばコピー動作時の各種設定を受け付けるキー１０１乃至１０４等が表示されると共に、ウェブブラウザを起動させる指示（ウェブブラウザの起動により予め設定されているウェブページを表示部４１０に表示させる指示）をユーザから受け付けるブラウザキー１０５が表示される。当該初期画面４１０１及び以下に示す各画面に表示されるキーは、タッチパネル機能によりユーザからの指示の入力がウェブブラウザ５２２１や動作制御部５２１１２等に受け付けられる。
【００５１】
ここで、ユーザによる操作部４００の操作で、ウェブページ表示指示以外のいずれかの動作実行指示、例えば、コピー動作実行指示が入力され、当該指示が操作部４００に受け付けられた場合（Ｓ３でＮＯ，Ｓ１１でＹＥＳ）、動作制御部５２１１は、指示された動作、ここではその一例としてコピー動作を実行する（Ｓ１２）。なお、操作部４００がユーザからいずれの動作実行指示も受け付けない場合は（Ｓ１１でＮＯ）、パネルアプリケーション５２２２が初期画面４１０１を表示部４１０に表示させ、操作部４００がユーザからの各種動作実行指示の入力を待機する状態が継続する。
【００５２】
一方、ユーザにより、初期画面４１０１において、ブラウザキー１０５が押下され、タッチパネル機能によりウェブブラウザ５２２１にウェブページ表示指示が受け付けられた場合は（Ｓ３でＹＥＳ）、ウェブブラウザ５２２１は、プロキシサーバ５２１３を介して、ウェブブラウザ表示時の第１ページとして予め設定されているウェブページのウェブサイトにアクセスし、当該ウェブサイトから、第１ページとなるウェブページの画像データを取得して、例えば図６に示すようなウェブページ表示画面４１０３を表示部４１０に表示する（Ｓ４）。すなわち、ウェブブラウザ５２２１は、パネルアプリケーション５２２２によって表示部４１０に表示されている初期画面４１０１を、上記ウェブページ表示画面４１０３に切り換える。
【００５３】
このとき、ウェブブラウザ５２２１は、ウェブページ表示画面４１０３に、検索実行指示受付ボタン（Search キー）Ｂ３を表示させる。この検索実行指示受付ボタンＢ３は、表示部４１０が備えるタッチパネル機能により、ユーザから、ウェブページ検索及びページ内検索の検索実行指示の入力を受け付けるための画像からなるボタンである。
【００５４】
さらに、ウェブブラウザ５２２１は、ウェブページ表示画面４１０３において、スクロールバーＢ１及び画面クローズボタンＢ２等を表示させる。スクロールバーＢ１及び画面クローズボタンＢ２等は、タッチパネル機能を利用してユーザがウェブページのスクロール指示、ウェブページを閉じる指示等を入力する操作を容易にするため、スクロールバーＢ１や画面クローズボタンＢ２は、ユーザが指で触れやすい程度の大きさに設定されている。
【００５５】
上記のように、ウェブブラウザ５２２１が、ウェブページ表示画面４１０３を表示部４１０に表示させているときに、ユーザにより検索実行指示受付ボタンＢ３が押下され、タッチパネル機能によりウェブブラウザ５２２１に、検索実行指示が受け付けられると（Ｓ５でＹＥＳ）、ウェブブラウザ５２２１は、検索エンジン記憶部５２２３に記憶されている各検索エンジンによるウェブページ検索、及びウェブブラウザ５２２１の機能によるページ内検索を示す項目が並べられてなる選択キーＢ５を、表示中のウェブページ上に表示させる（Ｓ６）。ウェブブラウザ５２２１は、例えば、図７に示すように、検索実行指示受付ボタンＢ３から上方に向けた位置に表示されるプルアップメニューで選択キーＢ５を表示する。この選択キーＢ５は、当該項目によって示される検索の中から所望の検索が表示されている項目部分をユーザが押下することで、タッチパネル機能により、当該押下された部分に表示されている検索方式の選択指示がウェブブラウザ５２２１に受け付けられるようになっている。また、検索エンジン記憶部５２２３に、複数の検索エンジン及びそのウェブページURLが記憶されている場合は、ウェブブラウザ５２２１は、図７に示すように、記憶されている複数の検索エンジンを示す項目を並列表示し、ユーザから、当該複数の項目により表示されている検索エンジン（図７では、例としてGoogle（登録商標）日本語、Google英語、Yahoo（登録商標）日本語、Yahoo英語、を示す）の中から、所望の検索エンジンの選択指示を受け付ける。
【００５６】
ここで、ユーザにより検索方式を選択する指示が、タッチパネル機能により、ウェブブラウザ５２２１に受け付けられると、ウェブブラウザ５２２１は、いずれの検索方式が選択されたかを判断し、ユーザにより選択された検索方式が、検索エンジンによるウェブページ検索である場合は（Ｓ７で「検索エンジン」）、当該選択されている検索エンジンのウェブブラウザURLを特定してアクセスし、当該検索エンジンのウェブページデータを取得して、表示部４１０に表示する（Ｓ８）。例えば、選択キーＢ５の中から、検索エンジンGoogle（日）を示すボタンＢ５１がユーザにより押下された場合、ウェブブラウザ５２２１は、検索エンジン記憶部５２２３から検索エンジンGoogle（日）のウェブページURLを読み出して、当該検索エンジンGoogle（日）のウェブページにアクセスし、当該検索エンジンGoogle（日）のウェブページデータを取得して、表示部４１０に表示する。
【００５７】
また、ウェブブラウザ５２２１が、ユーザにより選択された検索方式はウェブブラウザ５２２１の機能によるページ内検索であると判断した場合（Ｓ７で「ページ内検索」）、ウェブブラウザ５２２１は、ページ内検索機能を起動し（Ｓ９）、ユーザから入力される検索キーワードに基づいたページ内検索の実行が可能な状態とし、ページ内検索用の表示画面を表示部４１０に表示する。
【００５８】
次に、複合機１における表示部４１０の表示制御の第２実施形態を説明する。図８は複合機１における表示部４１０の表示制御の第２実施形態を示すフローチャートである。図９は検索キーワード入力画面の例を示す図である。図１０はウェブブラウザ５２２１の機能によるページ内検索時の検索キーワード入力画面の例を示す図である。図１１は検索エンジンによるウェブページ検索時の検索キーワード入力画面の例を示す図である。なお、第１実施形態と同様の処理は説明を省略する。
【００５９】
第２実施形態では、ウェブブラウザ５２２１は、選択キーＢ５を表示しているときに、ユーザからいずれかの検索方式の選択指示を受け付けると（Ｓ２７でＹＥＳ）、ユーザから検索キーワードの入力を受け付けるための検索キーワード入力画面を、表示部４１０に表示させているウェブページ上に重ねて表示させる（Ｓ２８）。
【００６０】
例えば、ウェブブラウザ５２２１は、当該検索キーワード入力画面として、(1)図９に示すように、検索エンジンによるウェブページ検索とウェブブラウザ５２２１の機能によるページ内検索のいずれが選択されたかに拘わらず、同一の検索キーワード入力画面Ｇ１を表示させ、後述するキーワード入力操作により、検索キーワードの入力を受け付けるようにしてもよいし、(2)図１０に示したページ内検索の検索キーワード入力画面Ｇ２と、図１１に示したウェブページ検索の検索キーワード入力画面Ｇ３のように、検索エンジンによるウェブページ検索とウェブブラウザ５２２１の機能によるページ内検索のいずれが選択されたかに応じて、それぞれに異なる検索キーワード入力画面を表示させて、検索キーワードの入力を受け付けるようにしてもよい。いずれの検索方式が選択されたかに応じて異なる検索キーワード入力画面を表示させる場合は、ユーザは、検索キーワード入力画面を見ることで、いずれの検索方式で検索が実行されるのかを明確に認識できる。
【００６１】
なお、ウェブブラウザ５２２１は、上記検索キーワード入力画面Ｇ１乃至Ｇ３内に入力ボタンＢ６を表示し、ユーザが当該入力ボタンＢ６を押下すると、タッチパネル機能により、ウェブブラウザ５２２１がキーボート画面の表示指示の入力を受け付け、当該表示指示に基づいて、ウェブブラウザ５２２１は、図１２及び図１３に示すようなキーボードを示す画像からなるキーボード画面Ｇ４を表示部４１０に表示させる。ウェブブラウザ５２２１が、表示部４１０に当該キーボード画面Ｇ４を表示させているときに、ユーザが当該キーボード画面に表示されている各文字キー表示部分を押下すると、タッチパネル機能により、押下された箇所の文字キーに対応付けられた文字又は記号の入力を、ウェブブラウザ５２２１が受け付けるようになっている。
【００６２】
なお、キーボード画面Ｇ４は、例えば、図１２に示す大文字入力画面Ｇ４０と図１３に示す小文字入力画面Ｇ４０’とを有している。例えば、ウェブブラウザ５２２１は、キーボード画面Ｇ４の表示時に、初期画面として大文字入力画面Ｇ４０を最初に表示部４１０に表示する。この大文字入力画面Ｇ４０において「小文字」ボタンＧ４４がユーザにより押下され、タッチパネル機能によりウェブブラウザ５２２１に画面切替指示が受け付けられると、ウェブブラウザ５２２１は、表示部４１０の表示画面を小文字入力画面Ｇ４０’に切り替える。また、この小文字入力画面Ｇ４０’において「大文字」ボタンＧ４３がユーザにより押下され、タッチパネル機能によりウェブブラウザ５２２１に画面切替指示が受け付けられると、ウェブブラウザ５２２１は、表示部４１０の表示画面を大文字入力画面Ｇ４０に切り替える。
【００６３】
大文字入力画面Ｇ４０及び小文字入力画面Ｇ４０’では、ユーザにより入力文字ボタンＧ４１が押下され、タッチパネル機能によりウェブブラウザ５２２１に入力文字切替指示が受け付けられると、ウェブブラウザ５２２１は、入力文字ボタンＧ４１から下方に向けて、入力文字各種を示す項目が並んでなる入力文字メニューボタンＰ１をプルダウン表示する。また、ユーザにより文字入力方式切替ボタンＧ４２が押下され、タッチパネル機能によりウェブブラウザ５２２１に文字入力方式切替指示が受け付けられると、ウェブブラウザ５２２１は、文字入力方式切替ボタンＧ４２から下方に向けて、文字入力方式各種を示す項目が並んでなる入力方式メニューボタンＰ２をプルダウン表示する。
【００６４】
上記検索キーワード入力画面Ｇ１乃至Ｇ３及びキーボード画面Ｇ４でユーザにより入力された検索キーワードをウェブブラウザ５２２１が受け付けると（Ｓ２９でＹＥＳ）、ウェブブラウザ５２２１は、Ｓ２７で受け付けた検索方式が検索エンジンによるウェブページ検索の場合（Ｓ３０で「検索エンジン」）、選択されている検索エンジンのウェブページにアクセスし、上記入力を受け付けた検索キーワードを用いて、当該検索エンジンによりウェブページ検索を行った結果を示すウェブページ表示データを取得して、表示部４１０に表示する（Ｓ３１）。
【００６５】
他方、ウェブブラウザ５２２１は、Ｓ２７で受け付けた検索方式がウェブブラウザ５２２１の機能によるページ内検索の場合（Ｓ３０で「ページ内検索」）、ウェブブラウザ５２２１は、ページ内検索機能を起動して、当該入力を受け付けた検索キーワードを用いて、この時点で表示中のウェブページ内で当該キーワードが使用されている箇所を検索し、当該検索結果を表示部４１０に表示する（Ｓ３２）。
【００６６】
なお、本発明は上記実施の形態の構成に限られず種々の変形が可能である。例えば、上記実施形態では、ウェブブラウザ５２２１が、表示部４１０へのウェブページ表示処理、表示させたウェブページ内を検索する処理、検索エンジン記憶部５２２３の具備、検索実行指示受付ボタンＢ３の表示処理、選択キーＢ５の表示処理、選択された検索エンジンのウェブページへのアクセス及び検索結果の表示処理等を行うとして説明しているが、これらの処理を行うのは、所謂ウェブブラウザと呼ばれるアプリケーションに限られず、上記各処理を実行可能なアプリケーション又は回路であればよい。すなわち、本実施形態においては、ウェブブラウザ５２２１は、上記各処理を実行可能なアプリケーション又は回路を包含する概念である。
【００６７】
また、上記実施形態では、本発明に係る表示制御装置、画像形成装置、及び表示制御プログラムの実施形態を、図１乃至図１３に示しているが、これらは本発明の一例に過ぎず、本発明の構成又は処理等をこれらに限定する趣旨ではない。
【図面の簡単な説明】
【００６８】
【図１】本発明に係る表示制御装置を備える画像形成装置の一実施形態である複合機の構成を示す側面概略図である。
【図２】複合機の制御ブロック図である。
【図３】複合機の制御ユニットの構成を抽出して示す図である。
【図４】複合機における表示部の表示制御の第１実施形態を示すフローチャートである。
【図５】初期操作画面の例を示す図である。
【図６】ウェブページ表示画面の例を示す図である。
【図７】選択キーが表示されたウェブページ表示画面の例を示す図である。
【図８】複合機における表示部の表示制御の第２実施形態を示すフローチャートである。
【図９】検索キーワード入力画面の例を示す図である。
【図１０】ウェブブラウザの機能によるページ内検索時の検索キーワード入力画面の例を示す図である。
【図１１】検索エンジンによるウェブページ検索時の検索キーワード入力画面の例を示す図である。
【図１２】キーボード画面の例を示す図である。
【図１３】キーボード画面の例を示す図である。
【符号の説明】
【００６９】
１          複合機
３１        記録部
５０        制御ユニット
５２        制御部
５２２      表示制御ユニット
５２２１    ウェブブラウザ
５２２３    検索エンジン記憶部
５３        表示画像データ記憶部
４１０      表示部
４１０３    ウェブページ表示画面
Ｂ３        検索実行指示受付ボタン
Ｂ５        選択キー
Ｂ５１      ボタン
【図１】
2010067208.tif 000003
【図２】
2010067208.tif 000004
【図３】
2010067208.tif 000005
【図４】
2010067208.tif 000006
【図５】
2010067208.tif 000007
【図６】
2010067208.tif 000008
【図７】
2010067208.tif 000009
【図８】
2010067208.tif 000010
【図９】
2010067208.tif 000011
【図１０】
2010067208.tif 000012
【図１１】
2010067208.tif 000013
【図１２】
2010067208.tif 000014
【図１３】
2010067208.tif 000015